(57)【要約】【課題】  集合住宅等の建屋への共連れを防ぐ。【解決手段】  建屋の入場用ゲート１０と、退場用ゲート２０と、前記建屋への入場者の識別情報に基づいて前記各ゲートの開閉制御を行うセキュリティ制御装置１００とを含むセキュリティシステムであって、入場用ゲート１０は、前記入場者の識別情報を読み取り、前記読み取った識別情報をセキュリティ制御装置１００へ出力するカードリーダを備え、セキュリティ制御装置１００は、認証用データを参照して、カードリーダから出力された識別情報が、建屋への入場を許可する識別情報と判断したとき、入場用ゲート１０を開閉駆動させる構成とした。【選択図】  図１
2006251934.tif 000002
【特許請求の範囲】
【請求項１】
建屋の入場用ゲートと、退場用ゲートと、前記建屋への入場者の識別情報に基づいて前記各ゲートの開閉制御を行うセキュリティ制御装置とを含むセキュリティシステムであって、
少なくとも前記入場用ゲートは、
前記入場者の識別情報を読み取るリーダを備え、
前記セキュリティ制御装置は、
前記建屋への入場を許可する識別情報を列挙した認証用データを参照して、前記リーダから出力された識別情報が、前記建屋への入場を許可する識別情報と判断したとき、前記入場用ゲートを開閉駆動させることを特徴とするセキュリティシステム。
【請求項２】
前記入場用ゲートは、
第１のゲートと、前記第１のゲートにおける入場者の通過を検知する第１のセンサと、前記第１のゲートに続き通過する第２のゲートと、を含んで構成され、
前記セキュリティ制御装置は、
前記認証用データを参照して、前記リーダから出力された識別情報が前記建屋への入場を許可する識別情報と判断したとき、前記第１のゲートを開駆動させ、前記第１のセンサで前記第１のゲートを通過したことを検知したとき、前記第１のゲートを閉駆動させ、その後、前記第２のゲートを開駆動させ、前記リーダから出力された識別情報が前記建屋への入場を許可する識別情報ではないと判断したときは、前記第１のゲートおよび前記第２のゲートを開駆動させないことを特徴とする請求項１に記載のセキュリティシステム。
【請求項３】
前記退場用ゲートは、
第３のゲートと、前記第３のゲートの建物側に設置された人間を検知するための第３のセンサと、前記第３のゲートに続き通過する第４のゲートと、前記第３のゲートと前記第４のゲートとの間の領域における退場者の在室を検知する第４のセンサとを備え、
前記セキュリティ制御装置は、前記第３のセンサにより前記第３のゲートの前に人間が居ることを検知し、かつ前記第４のセンサにより前記第３のゲートと前記第４のゲートとの間の領域における人間の在室を検知しなかったとき、前記第３のゲートを開駆動させ、前記第４のセンサにより前記第３のゲートと前記第４のゲートとの間の領域における人間の在室を検知したとき、前記第４のゲートの開駆動させることを特徴とする請求項１または請求項２に記載のセキュリティシステム。
【請求項４】
前記建屋の防災センタを挟んで一方に前記入場用ゲートを設置し、他方に前記退場用ゲートを設置したことを特徴とする請求項１ないし請求項３のいずれか１項に記載のセキュリティシステム。
【請求項５】
前記認証データにおける識別情報は、前記入場者が前記建屋の入居者か来訪者かに関する情報をさらに含み、
前記入場用ゲートは、前記第１のゲートの通過予定人数の入力を受け付けるとともに、前記入力された人数を前記セキュリティ制御装置へ出力する通過予定人数入力部をさらに備え、
前記セキュリティ制御装置は、前記認証用データを参照して、前記リーダから出力された識別情報が前記建屋の入居者の識別情報と判断したとき、前記第１のゲートを開駆動させるとともに、前記第１のセンサから出力された前記第１のゲートを通過した旨の信号の数が、前記通過人数入力部から出力された通過予定人数と同じになったと判断したとき、前記第１のゲートの閉駆動させることを特徴とする請求項２ないし請求項４のいずれか１項に記載のセキュリティシステム。
【請求項６】
前記認証データにおける識別情報は、前記入場者が前記建屋の入居者か来訪者かに関する情報をさらに含み、
前記リーダは、同じ識別情報の複数回の入力を受け付け、
前記セキュリティ制御装置は、前記認証用データを参照して、前記リーダから出力された識別情報が前記建屋の入居者の識別情報と判断したとき、前記第１のセンサから出力された前記第１のゲートを通過した旨の信号の数が、前記リーダに入力された前記識別情報の数と同じになったとき、前記第１のゲートを閉駆動させることを特徴とする請求項２ないし請求項４のいずれか１項に記載のセキュリティシステム。
【請求項７】
前記建屋への来訪者の入場を許可する入場許可信号を前記セキュリティ制御装置へ出力する入居者用端末装置と、
前記来訪者から前記入居者の居室番号の入力を受け付けて、この入居階の入居者用端末装置を発呼して、前記入居者用端末装置と通話を行わせるインタホン集合玄関装置と、前記来訪者に、来訪者用識別情報を記憶した来訪者用ＩＤカードを発行するＩＤカード発行機と、
前記建屋のエレベータ制御装置と、
前記建屋のエレベータ内に設置され、前記来訪者用ＩＤカードの識別情報を読み取るエレベータ用リーダと、
をさらに備え、
前記認証データは、前記入居者の居室の居室番号および入居階に関する情報をさらに記憶し、
前記セキュリティ制御装置は、
（１）前記入居者用端末装置から出力された来訪者の入場許可信号に基づいて、前記ＩＤカード発行機に、前記来訪者用ＩＤカードを発行させ、
（２）前記インタホン集合玄関機から入力された居室番号と前記認証データとを参照して、前記来訪者の訪問先である入居者の入居階を特定し、
（３）前記特定した入居階と、前記発行した来訪者用ＩＤカードに記憶される来訪者用識別情報とを対応づけて前記認証データに書き込み、
（４）前記エレベータ用リーダから、前記来訪者用ＩＤカードの識別情報が出力されたとき、前記エレベータ制御装置に、前記エレベータを前記特定した入居階以外のフロアに停止させないことを特徴とする請求項１ないし請求項６のいずれか１項に記載のセキュリティシステム。
【請求項８】
請求項１ないし請求項７のいずれか１項に記載のセキュリティシステムを備えることを特徴とする集合住宅。
【請求項９】
建屋のゲートと、前記建屋への入場者の識別情報に基づいて前記ゲートの開閉制御を行うセキュリティ制御装置とを含むセキュリティシステムであって、
少なくとも前記ゲートは、
前記入場者の識別情報を読み取るリーダおよび前記ゲートにおける入場者の通過を検知するセンサを備え、
前記セキュリティ制御装置は、
前記建屋への入場を許可する識別情報を列挙した認証用データを参照して、前記リーダから出力された識別情報が、前記建屋への入場を許可する識別情報と判断したとき、前記ゲートを開閉駆動させ、
前記認証データにおける識別情報は、前記入場者が前記建屋の入居者か来訪者かに関する情報をさらに含み、
前記ゲートは、前記ゲートの通過予定人数の入力を受け付けるとともに、前記入力された人数を前記セキュリティ制御装置へ出力する通過予定人数入力部をさらに備え、
前記セキュリティ制御装置は、前記認証用データを参照して、前記リーダから出力された識別情報が前記建屋の入居者の識別情報と判断したとき、前記ゲートを開駆動させるとともに、前記センサから出力された前記ゲートを通過した旨の信号の数が、前記通過人数入力部から出力された通過予定人数と同じになったと判断したとき、前記ゲートの閉駆動させることを特徴とするセキュリティシステム。
【請求項１０】
建屋のゲートと、前記建屋への入場者の識別情報に基づいて前記ゲートの開閉制御を行うセキュリティ制御装置とを含むセキュリティシステムであって、
少なくとも前記ゲートは、
前記入場者の識別情報を読み取るリーダを備え、
前記セキュリティ制御装置は、
前記建屋への入場を許可する識別情報を列挙した認証用データを参照して、前記リーダから出力された識別情報が、前記建屋への入場を許可する識別情報と判断したとき、前記ゲートを開閉駆動させ、
前記建屋への来訪者の入場を許可する入場許可信号を前記セキュリティ制御装置へ出力する入居者用端末装置と、
前記来訪者から前記入居者の居室番号の入力を受け付けて、この入居階の入居者用端末装置を発呼して、前記入居者用端末装置と通話を行わせるインタホン集合玄関装置と、前記来訪者に、来訪者用識別情報を記憶した来訪者用ＩＤカードを発行するＩＤカード発行機と、
をさらに備え、
前記認証データは、前記入居者の居室の居室番号および入居階に関する情報をさらに記憶し、
前記セキュリティ制御装置は、
（１）前記入居者用端末装置から出力された来訪者の入場許可信号に基づいて、前記ＩＤカード発行機に、前記来訪者用ＩＤカードを発行させ、
（２）前記インタホン集合玄関機から入力された居室番号と前記認証データとを参照して、前記来訪者の訪問先である入居者の入居階を特定し、
（３）前記特定した入居階と、前記発行した来訪者用ＩＤカードに記憶される来訪者用識別情報とを対応づけて前記認証データに書き込むことを特徴とするセキュリティシステム。
【発明の詳細な説明】
【技術分野】
【０００１】
本発明は、集合住宅等の建屋において、入居者や来訪者の建物への入退場を管理するためのセキュリティシステムに関する。
【背景技術】
【０００２】
従来、建物への不審者の出入りを防止するために、防犯エリアの入り口にゲートを設け、来訪者について個人認証することによりフラッパゲートを開閉する技術が知られている。例えば、特許文献１には、入居者がインタホンから開錠許可を出すと、共用玄関自動ドアが開錠されて来訪者が入場できるセキュリティシステムが開示されている。
【特許文献１】特開２００４−２４０８３９号公報（段落０００２〜０００５、図１９）
【発明の開示】
【発明が解決しようとする課題】
【０００３】
しかし、前記した技術は、共用玄関自動ドアが開かれたときに、第三者が正規の入場者のすぐ後ろから同時に入場すること（共連れ）や、退場者が退場する瞬間に、第三者がその共用玄関自動ドアから侵入することを防ぐものではない。
【０００４】
そこで、本発明は、前記した問題を解決し、集合住宅等の建屋に、第三者が不正に侵入することを防ぐセキュリティシステム等を提供することを課題とする。
【課題を解決するための手段】
【０００５】
前記課題を解決するために、本発明は、建屋（例えば、集合住宅）の防災センタを挟んで一方に入場用ゲートを設け、他方に退場用ゲートを設ける構成とし、防災センタにて入退場者を監視できるようにした。また、セキュリティシステムの制御を行うセキュリティ制御装置は、建屋への入場を許可する識別情報を列挙した認証用データを参照して、入場用ゲートのリーダから出力された識別情報が、建屋への入場を許可する識別情報と判断したとき、入場用ゲートを開閉駆動させる構成とした。このとき入場用ゲートは、第１のゲート（例えば、フラッパゲート）と、この第１のデートで認証がとれたときに開駆動される第２のゲートとを備え、また、退場用ゲートについても退場用風除室に人間がいるときには、建屋の内側ゲート（第３のゲート）を開かない構成とし、建屋への入場および退場における第三者の不正侵入を防ぐようにした。
さらに、第１のゲートを複数人が通過するときは、入居者が通過予定人数を設定入力し、その通過予定人数を超えた人数は通過させないように制御し、エレベータに来訪者が乗ったときは、入居者の入居階以外には停止しないように制御する構成とした。このようにすることで、第三者の不正侵入を防ぐとともに、来訪者を入場させやすくなる。その他の手段については、実施の形態の項で述べる。
【発明の効果】
【０００６】
本発明によれば、集合住宅等の建屋に、第三者が不正に進入することを防ぐとともに、来訪者を入場させやすくすることができる。
【発明を実施するための最良の形態】
【０００７】
以下、本発明を実施するための最良の形態（以下、実施の形態とする）について、図面を参照して説明する。図１は、本発明の実施の形態のセキュリティシステムが適用される集合住宅の玄関の平面図である。図１を用いて、本実施の形態のセキュリティシステムの概要について説明する。なお、ここでは、本実施の形態のセキュリティシステムが、集合住宅に適用される場合について説明するが、オフィスや工場等に適用してももちろんよい。
【０００８】
（システムの構成）
セキュリティシステムは、入場用ゲート１０と、退場用ゲート２０と、エレベータホールへ入場するためのゲート６と、集合住宅のエレベータの制御を行うエレベータ制御装置３０５と、エレベータ内に設置されるカードリーダ（リーダ）３０３と、入場用ゲート１０の近くに設置される集合玄関機２００と、この集合玄関機２００との通信を行う入居者用端末装置２０３と、セキュリティシステム全体の制御を行うセキュリティ制御装置１００とを含んで構成される。
【０００９】
セキュリティ制御装置１００は、各ゲートのセンサやカードリーダ（詳細は後記）から送信される情報に基づいて、各ゲートの開閉制御、集合玄関機２００およびエレベータ制御装置３０５経由でエレベータの停止フロアの制御を行う。
【００１０】
集合玄関機２００は、テンキー等から居室番号の入力を受けて、インタホン制御装置２０２（後記）経由で、入居者用端末装置２０３を発呼し、この入居者用端末装置２０３との音声通話等を実現する。また、この集合玄関機２００は、入居者用端末装置２０３からセキュリティ制御装置１００経由でＩＤカード２０５（後記）の発行指示を受け取ると、来訪者に来訪者用のＩＤカード２０５を発行する。なお、本実施の形態において、集合玄関機２００は、居室と通話するためのインタホン集合玄関機とＩＤカード２０５を発行するためのＩＤカード発行装置２１３（後記）とが一体化されているが、それぞれ個別に設置することもできる。
【００１１】
入場用ゲート１０は、集合住宅の外側ゲートあるゲート５と、集合住宅の内側ゲートであるゲート２（第２のゲート）と、ゲート２とゲート５との間（入場側風除室）に設置されるフラッパゲート１とを備える。このゲート２およびゲート５は、例えば、自動開閉扉（自動ドア）である。
【００１２】
入場用ゲート１０は、入場者が近傍に来たことを検知するセンサ５１およびセンサ２１を備える。センサ５１は、ゲート５の外側に設置され、ゲート５の近くに入場者が来たことを検知すると、検知信号をセキュリティ制御装置１００へ出力する。さらに、センサ２１は、ゲート２の外側（入場側風除室）に設置され、ゲート２の近くに入場者が来たことを検知すると、検知信号をセキュリティ制御装置１００へ出力する。
なお、本実施の形態におけるセンサ（人感センサ）２１,３１,４１,５１は、赤外線や温度等により、人間がセンサを中心とした所定距離内に居ることを検知するものである。各センサで検知した情報は、伝送路によりセキュリティ制御装置１００に入力される。
【００１３】
また、フラッパゲート１（第１のゲート）は、入場者の識別情報を読み取るカードリーダ（リーダ）７４（図２参照）を備える。このカードリーダ７４は、例えば、磁気カードやＩＣチップ等の記憶媒体に記憶された情報を読み取り、この情報をセキュリティ制御装置１００へ出力する。
【００１４】
次に、図１を用いて、本実施の形態のセキュリティシステムの動作の概要を説明する。本セキュリティシステムのセキュリティ制御装置１００は、センサ５１からゲート５の近くに入場者が来たことを検知すると、ゲート５を開駆動させる。そして、ゲート５が開くと、入場者は入場側風除室に入室する（Ｓ１）。
【００１５】
次に、入場者は、フラッパゲート１のカードリーダ７４にＩＤカード２０５（後記）の識別情報を読み取らせる。そして、カードリーダ７４は、読み取った識別情報をセキュリティ制御装置１００へ出力する。ここで、セキュリティ制御装置１００は送信された識別情報をもとに、認証処理を行い、フラッパゲート１の開閉制御を行う。つまり、送信された識別情報が入場を許可する識別情報であると判断したときは、フラッパゲート１へ開制御信号を出力し、そうでなければフラッパゲート１への開制御信号は出力しない（Ｓ２）。
【００１６】
そして、フラッパゲート１のセンサ７７,７８（後記）により、入場者がフラッパゲート１を通過したことを検知すると、フラッパゲート１を閉じる。ここで、本実施の形態では、フラッパゲート１を用いて、通常は入場者（入居者のみならず来訪者についても）１人ずつ、認証、フラッパゲート１の開駆動および閉駆動を行うので、認証を受けていない者が認証を受けた者と一緒に入場してしまういわゆる共連れを防止できる。
【００１７】
なお、後記するように、入居者が、フラッパゲート１のテンキー入力等により通過人数を設定したり、フラッパゲート開閉制御を解除するためのボタン（後記するゲストボタン７６）を押してフラッパゲート１を開いたままにしたりすることにより、入居者自身の認証を条件として、入居者の家族や知人友人等の来訪者を複数人、個別の認証なしに通過させるようにしてもよい。ただし、このような操作は、セキュリティ制御装置１００により入場者が来訪者であると認証された場合は、無効となる。このようにすることで、集合住宅の来訪者が入場用ゲート１０から入場しやすくなるとともに、第三者が共連れで入場するのを防止できる。
【００１８】
なお、本実施の形態において、集合住宅の防災センタを挟んで一方に入場用ゲート１０を設け、他方に退場用ゲート２０を設けている。つまり、防災センタを挟んで入口と出口とを分けたレイアウトとなっている。また、退場用ゲート２０のゲート３（第３のゲート）およびゲート４（第４のゲート）は、それぞれ、内側（建屋側）にセンサ３１（第３のセンサ）およびセンサ４１（第４のセンサ）を備え、外側にはセンサを備えないようにしている。ここで、ゲート３,４は、センサ３１,４１で人間（退場者）を検知したときに開駆動され、退場用ゲート２０には特にカードリーダを用いた認証を実行しなくても、不正に第三者が侵入するのを防ぐようにしている。また、玄関で入退場者が混在することが防止されるので、入退場がスムーズになるとともに防災センタの管理人の目視や画像による入退場者の監視が容易になる。
【００１９】
ちなみに、セキュリティ制御装置１００は、センサ３１で退場者が近くに来たことを検知しても、センサ４１で退場側風除室に人がいることを検知したときには、ゲート４を開駆動させないようにしている。
このようにすることで、ゲート４が開いた瞬間に退場側風除室に侵入した者が、さらにゲート３をくぐって侵入しないようにしている。
なお、図１においてセンサ４１は１つしか描いていないが、退場側風除室全体において在室者が居るか否かを検知できるよう、複数のセンサで構成するようにしてもよい。
また、センサ２１,３１,５１についてもそれぞれ１つずつしか描いていないが複数で構成するようにしてもよい。
【００２０】
セキュリティ制御装置１００がセンサ２１で、フラッパゲート１を通過した入場者がゲート２の前に来たことを検知すると、ゲート２を開駆動させる（Ｓ３）。具体的には、セキュリティ制御装置１００は、フラッパゲート１を通過してから、所定時間以内にセンサ２１でゲート２の前に入場者が来たときは、ゲート２を開駆動させる。一方、所定時間を経過した後、ゲート２の前に入場者が来たときはフラッパゲート１を開駆動させない。
【００２１】
つまり、カードリーダ７４で認証を行った入場者のみにゲート２を通過させ、フラッパゲート１を飛び越える等して、カードリーダ７４で認証を行わずにゲート２の前まで来た入場者に、ゲート２を通過させないようにする。このようにすることで、第三者が集合住宅に不正に入場しないようにすることができる。
【００２２】
続いて、入場者（入居者および来訪者）がエレベータに乗って入居者の入居階へ移動するまでの手順について説明する。
【００２３】
入居者は、エレベータホール前のゲート６の入口に至ると、ゲート６のカードリーダ３０１にＩＤカード２０５の情報を読み取らせる。セキュリティ制御装置１００は、カードリーダ３０１から、カードリーダ３０１に読み込まれたＩＤカード２０５の情報（入場者の識別情報）を受信し、この情報に基づき認証処理を行う。ここで認証ＯＫのときはゲート６を開駆動させ、入居者は、開かれたゲート６を通過して、エレベータホールに入る（Ｓ４）。また、認証ＯＫのとき、エレベータのホール呼びがエレベータ制御装置３０５に登録され、エレベータがエレベータホールに配車されるように制御される。なお、認証ＮＧのとき、セキュリティ制御装置１００はゲート６を開駆動させない。
【００２４】
入居者は、エレベータホールに配車されたエレベータに乗り込む（Ｓ５）。エレベータに乗り込んだ入場者は、エレベータの乗りかご内に設けられたカードリーダ３０３からＩＤカード２０５の情報を読み取らせる（Ｓ６）。
【００２５】
ここで、エレベータ制御装置３０５は、ＩＤカード２０５の情報を読み取らせる前において、エレベータのかご内の操作パネルの、どの行先階ボタンを押しても、エレベータを発車させないように制御する。
【００２６】
セキュリティ制御装置１００は、カードリーダ３０３から読み取られた情報により、入場者が入居者であることの認証をすると、エレベータを入居者が押した任意の行先階ボタンの階床に向かうように制御するので、入居者は集合住宅内の任意の階に行くことができる。
【００２７】
一方、集合住宅の来訪者は、入居者と同様に入場側風除室に入室すると、入場側風除室に設けられた集合玄関機２００のインタホンを使用して訪問先の入居者用端末装置２０３に連絡する。訪問先の入居者は、入居者用端末装置２０３で来訪者を確認したら、入居者用端末装置２０３の入館許可ボタン２０４（後記）の入力をする。このボタンの入力を受けて、セキュリティ制御装置１００は集合玄関機２００に設けられたＩＤカード発行装置２１３（後記）に来訪者用のＩＤカード２０５を発行させる。
【００２８】
このとき、セキュリティ制御装置１００は、発行されたＩＤカード２０５の識別情報を、入場許可した来訪者の識別情報としてセキュリティ制御装置１００の記憶部（記憶装置）１０２に登録する。なお、記憶部１０２には、入場を許可した入居者の居住階が来訪者の行先階として登録される。
【００２９】
そして、来訪者は発行されたＩＤカード２０５で入場用ゲート１０およびゲート６を通過し、エレベータホールから、エレベータに乗り込む。そして、カードリーダ３０３にＩＤカード２０５の情報を読み取らせる。ここで、セキュリティ制御装置１００が、カードリーダ３０３から読み取られた情報から、入場者が来訪者であることの認証をしたときは、エレベータ制御装置３０５は、エレベータを来訪者の訪問先である入居者のフロアのみに停止させる。つまり、来訪者はエレベータの行先階ボタンで訪問先である入居者のフロア以外の階のボタンを押しても、その階には停止しないようにする。このようにすることで、来訪者がエレベータによって行ける階は、入場を許可した入居者が居住する階床（入居階）のみとなるので、来訪者が行先階以外の階床に不用意に入り込むことが防止され、セキュリティが向上する。
【００３０】
図２は、図１におけるフラッパゲートおよびセキュリティ制御装置を示す図である。図１を参照しつつ、図２を用いて、フラッパゲート１およびセキュリティ制御装置１００を説明する。
【００３１】
フラッパゲート１は、開閉駆動されるフラッパ７１が、それを支持するとともに開閉駆動装置等を収納するゲート本体７２のほぼ中央部に位置し、隣り合うゲート本体７２の間が、入場者が通過する通路となっている。隣り合うゲート本体７２にそれぞれ設けられたフラッパ７１が閉まっているときは、通路が塞がれて、入場者は通過することができない。
【００３２】
ゲート本体７２の通路側の面には、入場者の通過を検出（検知）するためのセンサ７７，７８（第１のセンサ）が設けられる。このセンサ７７,７８は、例えば、受発光部を対向して設ける赤外線センサを用いることができる。ゲート本体７２には、ＩＤカード２０５に書き込まれた識別情報を読み取るためのリーダ（カードリーダ）７４が設けられている。カードリーダ７４で読み取られたデータの信号は、信号線Ａを介して、認証およびゲート開閉を制御するセキュリティ制御装置１００の制御部１０１に送信される。
【００３３】
セキュリティ制御装置１００は、この制御部１０１と、ゲートの開閉駆動をさせるゲート開閉部１０３と、後記する認証データ等を格納する記憶部１０２とを含んで構成される。本実施の形態において、この記憶部１０２は、セキュリティ制御装置１００内に格納されるものとして説明するが、セキュリティ制御装置１００の入出力ポート経由でセキュリティ管理用のＰＣ（Personal Computer）を接続し、そのＰＣ内のハードディスク装置に格納するようにしてもよい。ちなみに、セキュリティ制御装置１００内の記憶部１０２は、例えばハードディスク装置等により実現される。また、制御部１０１の主要部はマイクロコンピュータ等の演算処理装置である。さらに、信号線は便宜上１系統しか記載していないが、カードリーダ７４およびセンサ７７,７８、テンキー（通過予定人数入力部）７５、ゲストボタン７６等の信号線も表している。このテンキー７５およびゲストボタン７６については後記する。
【００３４】
制御部１０１は、送信された識別情報と記憶部１０２に登録された認証用データ（後記する表１参照）とを照合し、ＩＤカード２０５の識別情報が、入居者あるいは入場を許可された来訪者として記憶部１０２に登録された識別情報と合致する場合には、制御部１０１は、ゲート開閉部１０３または制御部１０１のメモリに、ゲート開駆動が許可されたことを示す通過許可データをセットする。
【００３５】
メモリに通過許可データがセットされた場合、ゲート開閉部１０３は、入側のセンサ７７が入場者の通過を検知すると、電力線Ｂを介して、ゲート本体７２に収納されているフラッパ７１の駆動機構に電力を供給してフラッパ７１を開駆動する。続いて出側のセンサ７８が入場者の通過を検知すると、ゲート開閉部１０３は、同様にフラッパ７１を閉駆動する。
【００３６】
ゲート本体７２には、入居者が自分の家族や友人を個別の認証なしに通過させるために使用する、通過人数設定用のテンキー７５ならびにフラッパゲート開放用のゲストボタン７６が設けられている。
【００３７】
入居者は、カード入力および認証後、テンキー７５から自分も含めた通過人数を入力する。あるいは、テンキー７５から通過人数を入力した後、カード入力および認証を行ってもよい。制御部１０１は、カードの識別情報から、入場者が入居者であることを認証すると、通過許可データおよびテンキー７５から入力された通過人数データを自制御部またはゲート開閉部１０３にセット（記録）する。通過許可データおよび通過人数データがセットされている場合、ゲート開閉部１０３は、ゲート本体７２における入側のセンサ７７と出側のセンサ７８とが入場者の通過を検知するたびに、設定された通過人数に等しい回数だけフラッパ７１の開閉駆動を繰り返す。
【００３８】
あるいは、入側のセンサ７７が１人目の通過者を検知したときにフラッパ７１を開駆動し、出側のセンサ７８が最後の通過者を検知したらフラッパ７１を閉駆動し、その間、フラッパ７１を開放しておくようにしてもよい。
【００３９】
なお、本実施の形態においては、入居者が通過人数分のカード入力および認証を行うことによっても、通過人数を設定することができる。また、入居者であることが認証され通過許可データがセットされている場合で、かつゲストボタン７６が押されている間は、センサ信号に応じたフラッパゲート１の開閉制御を解除し、フラッパ７１を開放したままにする。
【００４０】
そして、家族や友人がフラッパゲート１を通過した後、ゲストボタン７６を押すことを中止すれば、フラッパ７１は閉駆動され、センサ信号に応じた通常の開閉動作に復帰する。したがって、入居者が入場する場合には、再度カード入力が必要となる。
【００４１】
なお、ゲート本体７２の出側にもゲストボタン７６を設けて、入側のゲストボタン７６を１回押せばフラッパ７１が開駆動されて開放されたままになり、入居者を含めた全員が通過したあと、出側のゲストボタン７６を押すとフラッパ７１が閉駆動され通常動作に復帰するようにしてもよい。
【００４２】
このときには、出側のゲストボタン７６の押し忘れを想定して、入側のゲストボタン７６を押した後、予め設定された所定時間後にフラッパ７１が閉駆動されるように制御することが好ましい。
【００４３】
なお、カード入力によって来訪者であると認証されて場合には、制御部１０１は、通過人数データをセットしないか、あるいは人数を１人とセットし、前記したようなテンキー操作や複数回のカード入力を無効にするとともに、ゲストボタン７６の操作も無効にする。このようにすることで、来訪者の共連れ入場は防止される。
【００４４】
図３は、図１のフラッパゲート開閉のための認証処理のフローを示す図である。適宜図１および図２を参照しつつ、図３を用いて、フラッパゲート１の開閉のための認証処理フローを説明する。
【００４５】
フラッパゲート１に入場しようとする者がいない場合には、ＳＴＡＲＴ状態すなわち図２のカードリーダ７４からのデータ入力待ち状態である。カードリーダ７４からＩＤカード２０５の識別情報（ＩＤ）が入力され、読み込まれると（Ｓ１１）、セキュリティ制御装置１００はカードリーダ７４から読み込まれた識別情報と記憶部１０２の認証データ（以下の表１参照）とを照合し、入場しようとしている者が入居者と来訪者のいずれであるかを認証する。表１に、記憶部１０２の認証データを例示する。
【００４６】
【表１】
2006251934.tif 000003
【００４７】
認証データは、ＩＤカード２０５に書き込まれた識別情報（ＩＤ）と、それに対応させて入居者または来訪者であることを示すデータ（表１において便宜的に○で記す）と、入場者の行先階および行先居室番号を示すデータが登録される。
【００４８】
行先階および行先居室番号は、入居者の場合、それぞれ居住階および居住する居室番号であり、入居者のＩＤ番号と入居者であることを示すデータとともに、入居時にデータ登録される。来訪者については、前記したように、来訪者ＩＤカード発行時に登録される。なお、本実施の形態においては、来訪者について、入場日時と退場日時とが登録されている。これらの日時は、フラッパゲート１のセンサ信号が発生した時刻を計測することによって、登録することができる。また、制御部１０１は、来訪者について登録された入場日時または退場日時を参照して、所定の制限時刻を経過したら登録データを抹消する。これにより、来訪者の入場を、例えば来訪日だけに制限することができる。
【００４９】
例えば、カードリーダ７４で読み込んだＩＤが「ｂｂｂ」の場合、セキュリティ制御装置１００は、前記した認証データを参照して、入場者を「来訪者」と判断し、その後の処理に移る。
【００５０】
セキュリティ制御装置１００は、まず、読み込まれたＩＤを参照して入場者が、入居者であるか否かを判定し（Ｓ１２）、入居者であると認証されると（Ｓ１２のＹＥＳ）、認証回数がカウントされる（Ｓ１３）。ここで認証回数は、通過人数を示し、カードリーダ入力の度にカウントされる。したがって、入居者１人が入場する場合は、通過人数は１とカウントされる。また、来訪者とあわせて２人で入場する場合は、カードリーダ入力を２回行い、認証回数が２回となるので、通過人数は２とカウントされる。このようにして認証回数がカウントされると、認証、通過許可データおよび通過人数データがメモリにセットされて（Ｓ１４）、次の処理フローＡ（図４）へ移行する。
また、Ｓ１２で、入居者ではないと判定された場合（Ｓ１２のＮＯ）、次に来訪者であるか否かが判定される（Ｓ１５）。ここで来訪者であると認証された場合は（Ｓ１５のＹＥＳ）、セキュリティ制御装置１００は通過許可データをセットし（Ｓ１６）、次の処理フローＢ（図５）に移行する。
【００５１】
図４は、入居者が家族や知人と一緒に入場する場合の、図２のフラッパゲートの開閉動作フローを示す図である。適宜図１〜図３を参照しつつ、図４を用いて、入居者が家族や知人と一緒に入場する場合の、フラッパゲート１の開閉動作フローを説明する。ここでは、図３に示した処理により、入居者であることが認証され、通過許可データおよび通過人数データがセットされているものとする。入場の仕方としては、入場者が図２のゲストボタン７６またはテンキー７５を操作する場合と、図３に示したように通過人数分だけカード入力する場合とがある。
【００５２】
例えば、ゲストボタン７６を操作する場合、ゲストボタン７６の信号が出力されると（Ｓ２１）、フラッパゲート１が開放される（Ｓ２２）。このとき、センサ７７,７８のセンサ信号に応じたフラッパ７１の開閉動作は停止され、フラッパゲート１は開放されたままとなる。入場者が全員通過後、再度ゲストボタン７６が操作されてゲストボタン７６の信号が出力されると（Ｓ２３）、センサ信号によるフラッパ７１の開閉動作が復帰してフラッパゲート１が閉じられ（Ｓ２４）、セキュリティ制御装置１００は通過許可データおよび通過人数データをリセットして、図３のカードリーダ入力待ち状態（図３のＳＴＡＲＴ）に戻る（Ｓ５０）。
【００５３】
テンキー７５を操作する場合、まず、セキュリティ制御装置１００はテンキー７５から入力された数値を通過人数データとして自制御部またはゲート開閉部１０３にセット（記録）する（Ｓ３１）。まず、１人目が入側のセンサ７７を通過するときに出力されるセンサ信号に応じてフラッパゲート１が開駆動される（Ｓ３２）。
【００５４】
なお、本実施の形態では、フラッパ７１は開いたままとなるが、入場者ごとにフラッパ７１を開閉してもよい。次に、入場者が出側のセンサ７８を通過するときに出力されるセンサ信号によって通過人数を計測する（Ｓ３３）。通過人数の計測は、センサ信号による計測値が、セットされている通過人数データと同じになるまで続けられる（Ｓ３３，Ｓ３４）。すなわち、Ｓ３４で通過人数とセット値とが同じになると（Ｓ３４のＹＥＳ）、フラッパゲート１が閉駆動され（Ｓ３５）、セキュリティ制御装置１００は通過許可データおよび通過人数データをリセットして、図３のカードリーダ入力待ち状態（図３のＳＴＡＲＴ）に戻る（Ｓ５０）。Ｓ３４で通過人数がセット値に満たない場合（Ｓ３４のＮＯ）、Ｓ３３に戻り、通過人数計測を続ける。
【００５５】
また、通過人数分だけカード入力する場合は、テンキー操作の場合と同様に、入側のセンサ７７のセンサ信号に応じてフラッパゲート１が開駆動され（Ｓ４１）、次に、出側のセンサ７８のセンサ信号によって通過人数を計測し（Ｓ４２）、通過人数計測値が通過人数セット値と同じになったら（Ｓ４３のＹＥＳ）、フラッパゲート１が閉駆動され（Ｓ４４）、通過許可データおよび通過人数データがリセットされて図３のカードリーダ入力待ち状態（ＳＴＡＲＴ）に戻る（Ｓ５０）。通過人数計測値が通過人数セット値に満たない場合（Ｓ４３のＮＯ）、Ｓ４２に戻る。
【００５６】
なお、入居者が１人である場合も、通過人数のセット値を１として、Ｓ４１〜Ｓ４４にしたがって、セキュリティ制御装置１００はフラッパゲート１の開閉制御を行う。
【００５７】
図５は、図３の処理フローにおいて、入場者が来訪者であると認証され、通過許可データがセットされている場合のフラッパゲートの開閉制御の処理フローを示す図である。適宜図１〜図４を参照しつつ、図５を用いて入場者が来訪者であると認証され、通過許可データがセットされている場合のフラッパゲート１の開閉制御の処理フローを説明する。ここでは、通過人数データはセキュリティ制御装置１００にセットされていないものとして説明する。
【００５８】
来訪者が入側のセンサ７７を通過するときに出力されるセンサ信号に応じてフラッパゲート１が開駆動される（Ｓ５１）。次に、来訪者が出側のセンサ７８を通過するときに出力されるセンサ信号によってフラッパゲート１が閉駆動され（Ｓ５２）、通過許可データおよび通過人数データがリセットされて図３のカードリーダ入力待ち状態（ＳＴＡＲＴ）に戻る（Ｓ５３）。本処理フローにしたがえば、入場者が来訪者と認証された場合は、１人通過すればフラッパゲート１が閉じられてカードリーダ入力待ち状態に戻り、かつ入居者の場合の複数通過人数設定操作は無効であるので、来訪者の共連れを防止できる。なお、入場者が来訪者と認証された場合でも、セキュリティ制御装置１００は通過人数データを１とセットして、図４のＳ４１〜Ｓ４４にしたがって、フラッパゲート１の開閉制御をするようにしてもよい。
【００５９】
図６（ａ）は、図１の集合玄関機が来訪者用のＩＤカードを発行する手順を説明する図であり、（ｂ）は、ＩＤカードを説明する図である。適宜図１〜図５を参照しつつ、図６を用いて集合玄関機２００が来訪者用のＩＤカード２０５を発行するときの処理フローを説明する。
【００６０】
集合玄関機２００は、来訪者が入居者の居室番号を入力するためのテンキー２０１と、来訪者が音声を入力するためのマイク２１２と、入居者用端末装置２０３から入力された音声を出力するスピーカ２１１と、来訪者へのＩＤカード２０５を発行するＩＤカード発行装置２１３とを含んで構成される。また、入居者用端末装置２０３もマイクおよびスピーカ（図示せず）と、来訪者の入館許可を入力する入館許可ボタン２０４とを備える。なお、集合玄関機２００は、テンキー２０１、マイク２１２およびスピーカ２１１を含むインタホン集合玄関機と、ＩＤカード発行装置２１３とをそれぞれ個別に設置して構成してもよい。
【００６１】
入場側風除室に設置される集合玄関機２００と、各居室内に設けられる入居者用端末装置（子機）２０３とは、インタホン制御装置２０２を介して接続される。インタホン制御装置２０２は、集合玄関機２００のテンキー２０１から入力された居室番号を検知して、この居室番号に対応する入居者用端末装置２０３と、集合玄関機２００のスピーカ２１１およびマイク２１２とを接続する。つまり、集合玄関機２００は入居者用端末装置２０３を発呼し、これに入居者用端末装置２０３が応呼したとき、来訪者が集合玄関機２００経由で入居者と通話できるようにする。
【００６２】
入居者用端末装置２０３には、来訪者の入館を許可したことを示す信号を出力する入館許可ボタン２０４が設けられている。この入館許可ボタン２０４が操作されると、入場許可信号が、インタホン制御装置２０２を介して制御部１０１に入力される。
【００６３】
制御部１０１は、入場許可信号を受信すると、インタホン制御装置２０２を介して、集合玄関機２００に設けられたＩＤカード発行装置２１３に指令信号を送信する。さらに、制御部１０１は、発行されるＩＤカード２０５に書き込まれている識別情報（ＩＤ）を来訪者のＩＤとして記憶部１０２の認証データに登録するとともに、このＩＤに対応させて、来訪者の行先階および行先の居室番号を登録する（表１参照）。
なお、このＩＤカード発行装置２１３は、来訪者用のＩＤを予め記憶させたＩＤカード２０５を格納しておき、セキュリティ制御装置１００からの指令信号を受信すると、格納されたＩＤカード２０５を取り出し口から発行するようにしている。また、ＩＤカード２０５に書き込まれている識別情報は、ＩＤカード２０５が発行される度に、ＩＤカード発行装置２１３内の読取装置によって読み取る。
【００６４】
ここで、制御部１０１は、集合玄関機２００のテンキー２０１からの入力に応じた制御信号を、インタホン制御装置２０２を介して受信し、受信した信号によって来訪者の行先居室番号を判別する。さらに、制御部１０１は、判別された行先居室番号に基づいて、図示しない居室−階床対照テーブル（あるいは認証データ）から行先階を判別する。また、制御部１０１は、行先居室番号と行先階とを共にインタホン制御信号によって判別してもよい。
【００６５】
ＩＤカード発行装置２１３は、制御部１０１からの指令信号を受信すると、来訪者用のＩＤカード２０５（図６（ｂ）参照）を発行する。ＩＤカード２０５には、識別情報（ＩＤ）が書き込まれたＩＣチップ（ＩＣ集積回路）２０６およびＩＣチップ２０６に接続されるアンテナ２０７が貼り付けられている。
【００６６】
このＩＤカード２０５を、図２におけるカードリーダ７４、図１のカードリーダ３０１,３０３に接近させると、カードリーダ７４から送信される電磁波をアンテナ２０７によって電力に変換される。この電力を用いて、ＩＣチップは、書き込まれている識別情報（ＩＤ）を示す電磁波を発生させて、アンテナ２０７からカードリーダ７４ヘ送信する。したがって、ＩＣチップ２０６とカードリーダ７４とを互いに非接触で、ＩＣチップ２０６に書き込まれた識別情報をカードリーダ７４から入力することができる。
なお、このＩＤカード２０５を磁気カードにし、カードリーダ７４,３０１,３０３を接触式カードリーダ（磁気カード読み取り装置）にしてももちろんよい。
ちなみに、入居者用のＩＤカードも、このＩＤカード２０５と同様のものである。
【００６７】
このようにすることで、管理人や入居者の手間をかけずに、入場を許可された来訪者にＩＤカード２０５を発行することができる。また、インタホン制御信号に基づいて、来訪者の行先階や行先居室番号が登録されるので、これらのデータを用いて、例えば後記するようなエレベータの運転制御によって、集合住宅内における来訪者の行動範囲を制限することができる。つまり、集合住宅内のセキュリティを向上することができる。
【００６８】
なお、本実施の形態では、セキュリティ制御装置１００の制御部１０１によってＩＤカード発行制御が実行されるが、集合玄関機２００内の制御部によってＩＤカード発行制御を実行するようにしてももちろんよい。
【００６９】
図７は、図２のセキュリティ制御装置の制御部において実行される来訪者用のＩＤカードの発行処理フローを示す図である。適宜図１〜図６を参照しつつ、図７を用いて制御部１０１において実行される来訪者用のＩＤカードの発行処理フローを説明する。
【００７０】
インタホン制御信号待ちの状態において、来訪者が集合玄関機２００を操作すると、制御部１０１は、インタホン制御装置２０２からのインタホン制御信号の受信を開始する（Ｓ６０）。その後、インタホン制御信号受信の有無の判定（Ｓ６１）と、入館許可信号の有無の判定（Ｓ６２）が、入館許可信号を受信するまで、あるいは入館許可信号が発信されずにインタホンの操作が終了し、インタホン制御信号が受信されなくなるまで繰り返される。
【００７１】
インタホン制御信号受信有りと判定され（Ｓ６１のＹＥＳ）、かつ入館許可信号有と判定されると（Ｓ６２のＹＥＳ）、前記したように、セキュリティ制御装置１００は、発行するＩＤカード２０５に書き込まれた識別情報（ＩＤ）と、来訪者の行先（行先の階床および居室番号）とを記憶部１０２の認証データに登録する（Ｓ６３）。すなわち、セキュリティ制御装置１００は、集合玄関機２００のテンキー２０１から入力された番号（居室番号）を記憶部１０２に記憶させるとともに、この居室番号をキーとして、居室−階床対照テーブルあるいは認証データの入居者情報から、行先の階床を特定し、記憶部１０２の認証データに登録する。
【００７２】
さらに、セキュリティ制御装置１００は、集合玄関機２００にＩＤカード２０５の発行指令を送出して（Ｓ６４）、インタホン制御信号受信待ち状態に戻る。なお、Ｓ６１において、インタホン制御信号受信無し（Ｓ６１のＮＯ）、すなわちインタホン操作終了と判定された場合も、インタホン制御信号受信待ち状態に戻る。また、インタホン制御信号受信有で（Ｓ６１のＹＥＳ）、入管許可信号受信無しの場合（Ｓ６２のＮＯ）、Ｓ６１に戻り、入館許可信号の受信を待つ。
【００７３】
図８は、入居者用のＩＤカードおよび来訪者用のＩＤカードを用いたエレベータ運転手順を説明する図である。適宜図１〜図７を参照しつつ、図８を用いて、入居者用のＩＤカードおよび来訪者用のＩＤカード２０５を用いたエレベータ運転手順を説明する。
【００７４】
図１のエレベータホールの入り口にはゲート６が設けられる。ゲート６は、入り口付近に設置されたカードリーダ３０１から読み込まれるＩＤカード２０５の識別情報に応じて、制御部１０１およびゲート開閉部１０３によって、開閉駆動される。
【００７５】
制御部１０１は、読み込まれた識別情報によって入居者または入場を許可された来訪者であると認証すると、エレベータ制御装置３０５に対して、ホール呼び登録指令信号を送信する。
【００７６】
エレベータ制御装置３０５は、指令信号を受信すると、ホール呼びを作成・登録し、エレベータをエレベータホールへ配車するように制御する。ここで、エレベータが複数台備えられている場合、エレベータ制御装置３０５は、群管理制御によって、例えば、最も待ち時間を短くできるエレベータを選択して配車する。
【００７７】
エレベータホールに配車されたエレベータは、乗りかご内に設けられるカードリーダ３０３から読み込まれるＩＤカード２０５の識別情報に応じて、行先の運転制御がされる。このとき、制御部１０１は、識別情報に応じて、すなわち、入居者であるか来訪者であるかに応じて、エレベータ制御装置３０５におけるかご呼び作成・登録（行先階設定）の自由度を設定する。例えば、入居者については、任意の階にかご呼びを登録できるようにするが、来訪者は、任意の階にはかご呼びを登録できないようにする。つまり、来訪者の行先階を訪問先の階のみに制限する。このようにすることで、集合住宅内のセキュリティ度を高くすることができる。
【００７８】
図９は、エレベータホールへの入場ゲートの開閉制御と、エレベータのエレベータホールへのホール呼びのフローを説明する図である。適宜図１〜図８を参照して、エレベータホールへの入場ゲートの開閉制御と、エレベータのエレベータホールへのホール呼びのフローとを説明する。
【００７９】
エレベータホール入り口に設けられたカードリーダ３０１の入力待ち状態において、カードリーダ３０１から入居者または来訪者のＩＤカード２０５の識別情報が入力されると、セキュリティ制御装置１００は、識別情報に基づいて入場者が入居者であるか来訪者であるかを判断する。
【００８０】
つまり、まず、セキュリティ制御装置１００は、識別情報に基づいて、入居者が入居者であるか否かを判断する（Ｓ７１）。ここで、入場者が入居者であると判断した場合には（Ｓ７１のＹＥＳ）、エレベータ制御装置３０５はエレベータをエレベータホールに配車し、つまりエレベータホール呼びを行い（Ｓ７３）、次に、ゲート６を開駆動する（Ｓ７４）。その後、所定時間が経過すると、ゲート６を閉駆動し（Ｓ７５）、再び、カードリーダ入力待ちの状態となる。なお、ゲート６が開駆動された後、センサで入場者の通過を検知し、入場者が全員通過した後に閉駆動するようにしてもよい。
【００８１】
一方、入場者が入居者ではないと判断した場合は（Ｓ７１のＮＯ）、入場者が来訪者か否かを判断し（Ｓ７２）、入場者が来訪者であった場合は（Ｓ７２のＹＥＳ）、Ｓ７３へ進み、入場者が入居者でも来訪者でもないと判断した場合は（Ｓ７２のＮＯ）、カードリーダ入力待ちの状態に戻る。
【００８２】
図１０は、本実施の形態のエレベータの運転制御の動作フローを示す図である。エレベータの乗りかご内に設けられたカードリーダ３０３の入力待ち状態において、カードリーダ３０３から入居者または来訪者のＩＤカード２０５の識別情報が入力されると（Ｓ８０）、まず、セキュリティ制御装置１００は、識別情報に基づいて入居者または入場を許可された来訪者のいずれであるかを判別する。
【００８３】
つまり、セキュリティ制御装置１００は、識別情報に基づいて、入場者が来訪者であるか否かを判断する（Ｓ８１）。ここで、入場者が来訪者であると判断した場合には（Ｓ８１のＹＥＳ）、カードリーダ３０３から読み込まれた識別情報に対応して記憶部１０２に登録された行先階にエレベータのみかご呼びが許可される（Ｓ８２）。つまり、セキュリティ制御装置１００は、エレベータ制御装置３０５経由で、エレベータに、記憶部１０２の認証データに登録された来訪者の訪問先の行先階以外の階への停止を禁止するよう制御する。
【００８４】
一方、入場者が来訪者ではないと判断したとき（Ｓ８１のＮＯ）、Ｓ８３へ進み、入場者が入居者であるか否かを判断する（Ｓ８３）。ここで、入居者であると判断したとき（Ｓ８３のＹＥＳ）、セキュリティ制御装置１００は、エレベータ制御装置３０５にエレベータの行先階の制限（セキュリティ運転）を解除させ、全階についてエレベータのかご呼びを許可する（Ｓ８４）。すなわち、入居者については、エレベータの操作パネルのどのボタンを押しても、ボタンのランプが点灯して、かご呼びが登録されたことが表示され、エレベータドアが閉じ、エレベータは押したボタンに対応する行先階に向けて発車する。また、入場者が入居者でも来訪者でもないと判断した場合は（Ｓ８３のＮＯ）、カードリーダ入力待ちの状態に戻る。
【００８５】
このようにすることで、入居者用のＩＤカード２０５および来訪者用のＩＤカード２０５を用いて、入居者の使い勝手を損なうことなく来訪者の行先階を制限することができるので、セキュリティが向上する。
【００８６】
なお、前記した実施の形態において、入場側風除室内のゲート（第１のゲート）が、フラッパゲートの場合を例に説明したが、これに限定されるものではない。例えば、フラッパゲートのかわりに、電動により２枚の円形ドアの開閉を行い、マットスイッチおよび重量センサにより通行者が１人であることの確認を行って、入場者を１人ずつ通行させるサークルゲートを用いるようにしてもよい。その他についても、本発明の趣旨を逸脱しない範囲で応用可能である。
【００８７】
なお、本実施の形態に係るセキュリティ制御装置１００は、記憶部１０２に格納されたセキュリティ制御用プログラムを制御部１０１の演算処理部（ＣＰＵ、Central Processing Unit）が実行することにより実現される。また、そのプログラムをコンピュータによる読み取り可能な記憶媒体（ＣＤ-ＲＯＭ等）に記憶して提供することが可能である。さらに、そのプログラムを、ネットワークを通して提供することも可能である。
【図面の簡単な説明】
【００８８】
【図１】本発明の実施の形態のセキュリティシステムが適用される集合住宅の玄関の平面図である。
【図２】図１におけるフラッパゲートおよびセキュリティ制御装置を示す図である。
【図３】図１のフラッパゲート開閉のための認証処理のフローを示す図である。
【図４】図１のフラッパゲートの開閉動作フローを示す図である。
【図５】図１のフラッパゲートの開閉制御処理フローを示す図である。
【図６】（ａ）は、図１の集合玄関機が来訪者用のＩＤカードを発行する手順を説明する図であり、（ｂ）は、本実施の形態のＩＤカードを説明する図である。
【図７】図２のセキュリティ制御装置の制御部において実行される来訪者用のＩＤカードの発行処理フローを示す図である。
【図８】本実施の形態の入居者用のＩＤカードおよび来訪者用のＩＤカードを用いたエレベータ運転手順を説明する図である。
【図９】本実施の形態のエレベータホールへの入場ゲートの開閉制御と、エレベータのエレベータホールへのホール呼びのフローを説明する図である。
【図１０】本実施の形態のエレベータの運転制御の動作フローを示す図である。
【符号の説明】
【００８９】
１      フラッパゲート（第１のゲート）
２      ゲート（第２のゲート）
３      ゲート（第３のゲート）
４      ゲート（第４のゲート）
１０    入場用ゲート
２０    退場用ゲート
２１    センサ
３１    センサ（第３のセンサ）
４１    センサ（第４のセンサ）
７７,７８  センサ（第１のセンサ）
７１    フラッパ
７２    ゲート本体
７５    テンキー（通過予定人数入力部）
１００  セキュリティ制御装置
１０１  制御部
１０２  記憶部（記憶装置）
１０３  ゲート開閉部
２００  集合玄関機
２０１  テンキー
２０２  インタホン制御装置
２０３  入居者用端末装置
２０４  入館許可ボタン
２０５  ＩＤカード
２０６  ＩＣチップ
２０７  アンテナ
２１１  スピーカ
２１２  マイク
２１３  ＩＤカード発行装置
３０１,３０３  カードリーダ（リーダ）
３０５  エレベータ制御装置
【図１】
2006251934.tif 000004
【図２】
2006251934.tif 000005
【図３】
2006251934.tif 000006
【図４】
2006251934.tif 000007
【図５】
2006251934.tif 000008
【図６】
2006251934.tif 000009
【図７】
2006251934.tif 000010
【図８】
2006251934.tif 000011
【図９】
2006251934.tif 000012
【図１０】
2006251934.tif 000013